(57)【要約】【課題】空気中に含有される物質の量を調整できる空気調和機を提供する。【解決手段】本発明に係る空気調和機１００は、筐体と、複数のフィルター部３とを備える。筐体は、空気が流通する流通路を有する。複数のフィルター部３は、各々が流通路に配置され、空気が通過する。複数のフィルター部３の各々は、液体が含浸される含浸部３１を含む。複数のフィルター部３の各々の位置に応じて、含浸領域の大きさが異なる。含浸領域は、流通路を空気の流通方向からみたときに、複数のフィルター部３の含浸部３１が占める領域を示す。【選択図】図３
2020183825.tif 000002
【特許請求の範囲】
【請求項１】
空気が流通する流通路を有する筐体と、
各々が前記流通路に配置され、前記空気が通過する複数のフィルター部と
を備え、
前記複数のフィルター部の各々は、液体が含浸される含浸部を含み、
前記複数のフィルター部の各々の位置に応じて、含浸領域の大きさが異なり、
前記含浸領域は、前記流通路を前記空気の流通方向からみたときに、前記複数のフィルター部の前記含浸部が占める領域を示す、空気調和機。
【請求項２】
前記複数のフィルター部が第１状態及び第２状態のいずれかの状態となるように、前記複数のフィルター部を移動させる第１駆動部を更に備え、
前記第１状態は、前記流通路において前記空気の流通方向に、前記複数のフィルター部の前記含浸部が重ならない状態を示し、
前記第２状態は、前記流通路において前記空気の流通方向に、前記複数のフィルター部の前記含浸部のうち、少なくとも２個の含浸部が重なった状態を示す、請求項１に記載の空気調和機。
【請求項３】
前記複数のフィルター部は、第１フィルター部と、第２フィルター部とを含み、
前記第１フィルター部及び前記第２フィルター部の各々は、前記液体が含浸されない非含浸部を更に含み、
前記第１駆動部は、前記第１フィルター部及び／又は前記第２フィルター部を回転軸線の回りに回転させる、請求項２に記載の空気調和機。
【請求項４】
前記第１フィルター部は、第１係合部を有し、
前記第２フィルター部は、第２係合部と、前記第２係合部と異なる位置に配置された第３係合部とを有し、
前記第１駆動部は、前記第１フィルター部を回転させ、
前記第１フィルター部が、第１回転方向に回転した場合に、前記第１係合部と前記第２係合部とが係合し、前記第１フィルター部及び前記第２フィルター部が前記第１状態で回転し、
前記第１フィルター部が、前記第１回転方向と逆の第２回転方向に回転した場合に、前記第１係合部と前記第３係合部とが係合し、前記第１フィルター部及び前記第２フィルター部が前記第２状態で回転する、請求項３に記載の空気調和機。
【請求項５】
前記第１フィルター部は、第１係合部を有し、
前記第２フィルター部は、第２係合部と、前記第２係合部と異なる位置に配置された第３係合部とを有し、
前記第１駆動部は、前記第２フィルター部を回転させ、
前記第２フィルター部が、第１回転方向に回転した場合に、前記第１係合部と前記第２係合部とが係合し、前記第１フィルター部及び前記第２フィルター部が前記第２状態で回転し、
前記第２フィルター部が、前記第１回転方向と逆の第２回転方向に回転した場合に、前記第１係合部と前記第３係合部とが係合し、前記第１フィルター部及び前記第２フィルター部が前記第１状態で回転する、請求項３に記載の空気調和機。
【請求項６】
前記複数のフィルター部の各々を第１位置及び第２位置のいずれかの位置に移動させる第２駆動部を更に備え、
前記第１位置は、前記流通路内の位置を示し、
前記第２位置は、前記流通路外の位置を示す、請求項１から請求項５のいずれか１項に記載の空気調和機。
【請求項７】
前記空気が前記複数のフィルター部を通過するように、気流を発生するファンと、
前記液体である水が収容される水槽と
を更に備え、
前記複数のフィルター部の各々の一部が前記水に浸漬されて、前記水が前記複数のフィルター部の各々に含浸される、請求項１から請求項６のいずれか１項に記載の空気調和機。
【発明の詳細な説明】
【技術分野】
【０００１】
本発明は、空気調和機に関する。
【背景技術】
【０００２】
室内の空気に水分を供給する加湿装置が普及している。例えば、特許文献１に記載された加湿装置は、送風ファン及び加湿フィルターを備える。送風ファンは、加湿フィルターに向けて空気を送出する。加湿フィルターは、全面に含浸部を有する。含浸部には、水が含浸されている。その結果、加湿フィルターは、水分を空気中に放出する。
【先行技術文献】
【特許文献】
【０００３】
【特許文献１】特開２０１０−２６６１１４号公報
【発明の概要】
【発明が解決しようとする課題】
【０００４】
特許文献１に記載された加湿装置では、加湿フィルターを通過する全ての空気は、含浸部を必ず通過する。その結果、加湿フィルターを通過する全ての空気には、水のような物質が均一に含有される。よって、空気中に含有される物質の量は一定であった。換言すれば、空気中に含有される物質の量を調整できなかった。
【０００５】
本発明は、上記課題に鑑みてなされたものであり、空気中に含有される物質の量を調整できる空気調和機を提供することを目的としている。
【課題を解決するための手段】
【０００６】
本発明に係る空気調和機は、筐体と、複数のフィルター部とを備える。前記筐体は、空気が流通する流通路を有する。前記複数のフィルター部は、各々が前記流通路に配置され、前記空気が通過する。前記複数のフィルター部の各々は、液体が含浸される含浸部を含む。前記複数のフィルター部の各々の位置に応じて、含浸領域の大きさが異なる。前記含浸領域は、前記流通路を前記空気の流通方向からみたときに、前記複数のフィルター部の前記含浸部が占める領域を示す。
【発明の効果】
【０００７】
本発明に係る空気調和機によれば、空気中に含有される物質の量を調整できる。
【図面の簡単な説明】
【０００８】
【図１】本発明の第１実施形態に係る加湿装置の構成の一例を示す断面図である。
【図２】第１実施形態に係る第１状態の加湿ユニット及びモータを示す後面図である。
【図３】第１実施形態に係る第２状態の加湿ユニット及びモータを示す後面図である。
【図４】（ａ）は、第２実施形態に係る第１状態の加湿ユニットを示す後面図である。（ｂ）は、第２状態の一例の加湿ユニットを示す後面図である。（ｃ）は、第２状態の他の一例の加湿ユニットを示す後面図である。（ｄ）は、第２状態の更に他の一例の加湿ユニットを示す後面図である。
【図５】第３実施形態に係る加湿ユニットを示す後面図である。
【発明を実施するための形態】
【０００９】
以下、本発明の実施形態について、図面を参照しながら説明する。なお、図中、同一又は相当部分については同一の参照符号を付して説明を繰り返さない。
【００１０】
＜第１実施形態＞
まず、図１を参照して、本発明の第１実施形態に係る加湿装置１００の構成について説明する。図１は、第１実施形態に係る加湿装置１００の構成の一例を示す断面図である。また、第１実施形態では、図中に、互いに直交するＸ軸、Ｙ軸及びＺ軸を示す。Ｚ軸は鉛直方向に平行であり、Ｘ軸及びＹ軸は水平方向に平行である。Ｘ軸の正方向は、加湿装置１００の前面側を示す。
【００１１】
図１に示すように、加湿装置１００は、筐体１０、加湿ユニット３、水槽４、モータ５及び送風機６を備える。加湿装置１００は、空気調和機の一例である。モータ５は、第１駆動部の一例である。
【００１２】
筐体１０は、天板２６と、底板２７と、側板２９と、前面パネル２８と、後面パネル２４とを備える。前面パネル２８と後面パネル２４と側板２９との各々は、天板２６と底板２７との間に配置されている。
【００１３】
後面パネル２４は、前面パネル２８と対向して配置される。そして、後面パネル２４は、筐体１０のＸ軸の負方向側に配置される。本明細書において、Ｘ軸の正方向は、後面パネル２４から前面パネル２８に向かう第１方向Ｄ１を示す。また、Ｘ軸の負方向は、第１方向Ｄ１と逆の第２方向Ｄ２を示す。後面パネル２４は、複数の吸込口２５を有する。複数の吸込口２５の各々は、開口である。
【００１４】
天板２６は、底板２７と対向して配置される。そして、筐体１０の上方側に配置される。天板２６は、複数の送気口１６を有する。複数の送気口１６の各々は、開口である。
【００１５】
筐体１０は、吸込室１２と、吐出室１３と、隔壁１１とを更に備える。隔壁１１は、吸込室１２と吐出室１３とを仕切る。吸込室１２は、吐出室１３の第２方向Ｄ２側に配置される。
【００１６】
筐体１０は、流通路ＲＡを有する。具体的には、吸込室１２は、複数の吸込口２５を介して筐体１０の外部に連通する。吐出室１３は、複数の送気口１６を介して筐体１０の外部に連通する。吸込室１２と吐出室１３とは、隔壁１１の下部に設けた開口１１ａを経て相互に連通する。吸込口２５と吸込室１２と開口１１ａと吐出室１３と送気口１６とが、流通路ＲＡに相当する。
【００１７】
まず、吸込室１２について詳細に説明する。吸込室１２は、加湿ユニット３と、水槽４と、モータ５とを収容する。また、吸込室１２は、集塵フィルター２２と、脱臭フィルター２３とを備える。
【００１８】
脱臭フィルター２３は、後面パネル２４に対して第１方向Ｄ１側に配置される。脱臭フィルター２３は、空気中に含有される臭い成分を吸着する。脱臭フィルター２３は、例えば、活性炭を保持させた不織布である。
【００１９】
集塵フィルター２２は、脱臭フィルター２３に対して第１方向Ｄ１側に配置される。集塵フィルター２２は、脱臭フィルター２３に積層される。集塵フィルター２２は、空気中に含有される塵埃を捕集する。集塵フィルター２２は、例えば、ＨＥＰＡフィルター（Ｈｉｇｈ  Ｅｆｆｉｃｉｅｎｃｙ  Ｐａｒｔｉｃｕｌａｔｅ  Ａｉｒ  Ｆｉｌｔｅｒ）である。
【００２０】
仕切部材２１は、集塵フィルター２２に対して第１方向Ｄ１側に配置される。仕切部材２１は、複数の開口２１１を有する。
【００２１】
次に、吐出室１３について詳細に説明する。吐出室１３は、送風機６を収容する。送風機６は、開口１１ａに対向配置される。
【００２２】
送風機６は、ファン６０と、モータ６１とを有する。モータ６１は、ファン６０を回転させる。詳細には、ファン６０の中心は、モータ６１の回転軸に連結される。
【００２３】
ファン６０は、空気が加湿ユニット３を通過するように、気流を発生する。具体的には、モータ６１の駆動によりファン６０が回転する。そして、ファン６０は、加湿ユニット３を介して空気を吸引し、第１方向Ｄ１側へ空気を送出する。
【００２４】
更に詳細には、流通路ＲＡには、空気が流通する。具体的には、ファン６０の回転によって、方向Ｄで示すように、加湿装置１００の外部から後面パネル２４の吸込口２５を経て吸込室１２へ空気が流入する。方向Ｄは、空気の流れの方向を示す。流入した空気は、吸込室１２の内部を第１方向Ｄ１へ流れる。そして、開口１１ａを経由して、空気はファン６０に吸引される。ファン６０によって、空気の進行方向は上方向に変えられる。そして、空気は、送気口１６を経由して加湿装置１００の外部へ排出される。
【００２５】
水槽４は、液体が収容される。液体は、例えば、水である。水槽４の形状は、矩形の箱状を有する。水槽４の上面は開口している。そして、水槽４は、加湿ユニット３の下方に配置される。
【００２６】
水槽４は、２個の支持ローラ４１を有する。具体的には、２個の支持ローラ４１の各々は、水槽４の内部に設けられている。２個の支持ローラ４１の各々は、第１方向Ｄ１を回転軸として回転する。また、２個の支持ローラ４１は、第１方向と交差する方向、かつ、鉛直方向と交差する方向に沿って、所定距離を空けて配置されている。
【００２７】
続けて、図２及び図３を参照して、第１実施形態に係る加湿ユニット３及びモータ５について説明する。図２は、第１状態の加湿ユニット３を示す後面図である。図３は、第２状態の加湿ユニット３を示す後面図である。なお、加湿ユニット３は、第１状態及び第２状態のいずれかの状態となる。
【００２８】
図２及び図３に示すように、加湿ユニット３は、複数のフィルター部を備える。複数のフィルター部は、例えば、第１フィルター部３ａと、第２フィルター部３ｂとを含む。
【００２９】
複数のフィルター部の各々は、流通路ＲＡに配置される。具体的には、第１フィルター部３ａ及び第２フィルター部３ｂは、開口１１ａに対向配置される。その結果、第１フィルター部３ａ及び第２フィルター部３ｂには、空気が通過する。
【００３０】
まず、第１フィルター部３ａについて説明する。第１フィルター部３ａは、保持枠３０ａと、含浸部３１ａと、非含浸部３５ａと、リングギヤ３２ａとを有する。保持枠３０ａの形状は、円筒状を有する。保持枠３０ａの内部には、含浸部３１ａと非含浸部３５ａとが収納されている。
【００３１】
含浸部３１ａは、液体が含浸される。例えば、含浸部３１ａは、半円板状のシートである。シートは、吸水性と通気性とを有する材料で形成される。シートは、例えば、レーヨンで形成される。
【００３２】
一方、非含浸部３５ａは、液体が含浸されない。非含浸部３５ａは、例えば、半円板状の開口である。そして、非含浸部３５ａは、保持枠３０ａの内部のうち、含浸部３１ａ以外の領域である。
【００３３】
保持枠３０ａが２個の支持ローラ４１上に載置されることにより、第１フィルター部３ａは流通路ＲＡに配置される。第１フィルター部３ａの下部は、水槽４の内部に位置するとともに、第１フィルター部３ａの上部は、水槽４の外部に位置する。第１フィルター部３ａの下部は、水槽４内の水に浸漬される。
【００３４】
リングギヤ３２ａは、保持枠３０ａの外周面に形成される。具体的には、リングギヤ３２ａは、保持枠３０ａの外周面の全周にわたって形成された歯である。
【００３５】
モータ５は、第１フィルター部３ａを回転軸線の回りに回転させる。モータ５は、仕切部材２１に固定されており、第１フィルター部３ａよりも上側に配置される。モータ５には、伝動歯車が連結されており、伝動歯車には、駆動歯車が噛合される。
【００３６】
２個の支持ローラ４１上に保持枠３０ａが載置されたときに、駆動歯車とリングギヤ部３２ａとは、噛合する。すなわち、第１フィルター部３ａは、２個の支持ローラ４１と、駆動歯車とにより、周方向の異なる位置で３点支持された状態となる。その結果、モータ５が回転駆動することによって、伝動歯車を介して駆動歯車が回転する。そして、駆動歯車の回転がリングギヤ３２ａを介して保持枠３０ａに伝わり、第１フィルター部３ａが第１方向Ｄ１を回転軸として回転する。
【００３７】
第１フィルター部３ａが回転駆動されて、含浸部３１ａが水槽４の内部に位置し、非含浸部３５ａが水槽４の外部に位置したときに、水が含浸部３１ａに含浸される。更に、第１フィルター部３ａが回転駆動されて、含浸部３１ａが水槽４の外部に位置し、非含浸部３５ａが水槽４の内部に位置したときに、含浸部３１ａ及び非含浸部３５ａは吸水しない。
【００３８】
また、第１フィルター部３ａが回転駆動されて、含浸部３１ａが第１フィルター部３ａの上部に位置し、非含浸部３５ａが第１フィルター部３ａの下部に位置したときに、流通路ＲＡを流通する空気は、含浸部３１ａを通過する。空気が含浸部３１ａを通過する際に、含浸部３１ａに含浸された水が気化し、空気は気化した水分を含んだ空気となる。その結果、水分を含んだ空気は、送気口１６から加湿装置１００の外部へ排出される。
【００３９】
更に、第１フィルター部３ａが回転駆動されて、含浸部３１ａが第１フィルター部３ａの下部に位置し、非含浸部３５ａが第１フィルター部３ａの上部に位置したときに、流通路ＲＡを流通する空気は、非含浸部３５ａを通過する。その結果、水分を含まない空気が、送気口１６から加湿装置１００の外部へ排出される。
【００４０】
続けて、第２フィルター部３ｂについて説明する。第２フィルター部３ｂは、保持枠３０ｂと、含浸部３１ｂと、非含浸部３５ｂとを有する。保持枠３０ｂの形状は、円筒状を有する。保持枠３０ｂの内部には、含浸部３１ｂと非含浸部３５ｂとが収納されている。
【００４１】
含浸部３１ｂは、液体が含浸される。例えば、含浸部３１ｂは、半円板状のシートである。シートは、吸水性と通気性とを有する材料で形成される。シートは、例えば、レーヨンで形成される。
【００４２】
一方、非含浸部３５ｂは、液体が含浸されない。非含浸部３５ｂは、例えば、半円板状の開口である。そして、非含浸部３５ｂは、保持枠３０ｂの内部のうち、含浸部３１ｂ以外の領域である。
【００４３】
保持枠３０ｂは、２個の支持ローラ４１上に載置されることにより、第２フィルター部３ｂは、流通路ＲＡに配置される。第２フィルター部３ｂは、第１フィルター部３ａの第１方向Ｄ１側に配置される。第２フィルター部３ｂの下部は、水槽４の内部に位置するとともに、第２フィルター部３ｂの上部は、水槽４の外部に位置する。第２フィルター部３ｂの下部は、水槽４内の水に浸漬される。
【００４４】
支持ローラ４２は、隔壁１１に取り付けられており、第２フィルター部３ｂよりも上側に配置される。支持ローラ４２は、第１方向Ｄ１を回転軸として回転する。
【００４５】
２個の支持ローラ４１上に保持枠３０ｂが載置されたときに、支持ローラ４２と保持枠３０ｂとは、接触する。すなわち、第２フィルター部３ｂは、２個の支持ローラ４１と、支持ローラ４２とにより、周方向の異なる位置で３点支持された状態となる。その結果、第２フィルター部３ｂは、第１方向Ｄ１を回転軸として回転可能である。
【００４６】
第２フィルター部３ｂが回転駆動されて、含浸部３１ｂが水槽４の内部に位置し、非含浸部３５ｂが水槽４の外部に位置したときに、水が含浸部３１ｂに含浸される。更に、第２フィルター部３ｂが回転駆動されて、含浸部３１ｂが水槽４の外部に位置し、非含浸部３５ｂが水槽４の内部に位置したときに、含浸部３１ｂ及び非含浸部３５ｂは吸水しない。
【００４７】
また、第２フィルター部３ｂが回転駆動されて、含浸部３１ｂが第２フィルター部３ｂの上部に位置し、非含浸部３５ｂが第２フィルター部３ｂの下部に位置したときに、流通路ＲＡを流通する空気は、含浸部３１ｂを通過する。空気が含浸部３１ｂを通過する際に、含浸部３１ｂに含浸された水が気化し、空気は気化した水分を含んだ空気となる。その結果、水分を含んだ空気は、送気口１６から加湿装置１００の外部へ排出される。
【００４８】
更に、第２フィルター部３ｂが回転駆動されて、含浸部３１ｂが第２フィルター部３ｂの下部に位置し、非含浸部３５ｂが第２フィルター部３ｂの上部に位置したときに、流通路ＲＡを流通する空気は、非含浸部３５ｂを通過する。その結果、水分を含まない空気が、送気口１６から加湿装置１００の外部へ排出される。
【００４９】
ここで、第１フィルター部３ａと第２フィルター部３ｂとの位置関係について説明する。加湿装置１００では、複数のフィルター部の各々の位置に応じて、含浸領域の大きさが異なる。含浸領域は、流通路ＲＡを空気の流通方向からみたときに、複数のフィルター部の含浸部３１が占める領域を示す。
【００５０】
詳細には、加湿装置１００では、複数のフィルター部が第１状態であるときと、第２状態であるときとで、含浸領域の大きさが異なる。第１状態は、流通路ＲＡにおいて空気の流通方向に、複数のフィルター部の含浸部３１が重ならない状態を示す。一方、第２状態は、流通路ＲＡにおいて空気の流通方向に、複数のフィルター部の含浸部３１のうち、少なくとも２個の含浸部３１が重なった状態を示す。
【００５１】
具体的には、第１フィルター部３ａと第２フィルター部３ｂとが第１状態であるときには、流通路ＲＡにおいて空気の流通方向に、含浸部３１ａと含浸部３１ｂとは重ならない。例えば、含浸部３１ａが下部に位置するときに、含浸部３１ｂが上部に位置する。すなわち、含浸領域は、含浸部３１ａの大きさと含浸部３１ｂの大きさとの合計である。流通路ＲＡを流通する空気は、加湿ユニット３を通過する際に、含浸部３１ａの大きさと含浸部３１ｂの大きさとの合計に応じた水分量を含んだ空気となる。なお、空気の流通方向において流通路ＲＡの全面に含浸部３１が配置されるため、流通路ＲＡを流通する空気の量を少なくすることもできる。
【００５２】
一方、第１フィルター部３ａと第２フィルター部３ｂとが第２状態であるときには、流通路ＲＡにおいて空気の流通方向に、含浸部３１ａと含浸部３１ｂとは重なる。例えば、含浸部３１ａが上部に位置するときに、含浸部３１ｂが上部に位置する。すなわち、含浸領域は、含浸部３１ａの大きさである。流通路ＲＡを流通する空気は、加湿ユニット３を通過する際に、含浸部３１ａの大きさに応じた水分量を含んだ空気となる。なお、空気の流通方向において流通路ＲＡの一部のみに含浸部３１が配置されるため、流通路ＲＡを流通する空気の量を多くすることもできる。
【００５３】
以上、図１〜図３を参照して説明したように、加湿装置１００によれば、含浸領域の大きさを異ならせることができるため、空気中に含有される物質の量を調整できる。
また、加湿装置１００によれば、第１フィルター部３ａ又は第２フィルター部３ｂを回転させることで、含浸部３１が重ならない状態と、含浸部３１が重なった状態とにすることができるため、簡易な駆動部を用いることができる。駆動部は、例えば、モータ５と、伝動歯車と、駆動歯車とを含む。
【００５４】
そして、加湿装置１００によれば、第１状態では、多い水分量を含んだ空気を、少ない風量で送風でき、一方、第２状態では、少ない水分量を含んだ空気を、多い風量で送風できる。
そして、加湿装置１００によれば、運転を停止させたときに、第１フィルター部３ａの非含浸部３５ａ及び第２フィルター部３ｂの非含浸部３５ｂを水槽４の内部に位置させることができる。その結果、第１フィルター部３ａ及び第２フィルター部３ｂが吸水しないため、第１フィルター部３ａ及び第２フィルター部３ｂに水垢が発生することを防止できる。
【００５５】
次に、第１フィルター部３ａと第２フィルター部３ｂとの移動方法について説明する。加湿装置１００では、モータ５は、第１フィルター部３ａを回転させる。第１フィルター部３ａが、第１回転方向Ｒ１に回転した場合に、第１フィルター部３ａ及び第２フィルター部３ｂが第１状態で回転する。一方、第１フィルター部３ａが、第２回転方向Ｒ２に回転した場合に、第１フィルター部３ａ及び第２フィルター部３ｂが第２状態で回転する。第２回転方向は、第１回転方向と逆の回転方向である。
【００５６】
詳細には、第１フィルター部３ａは、第１係合部３３ａを更に有する。例えば、第１係合部３３ａは、第１方向Ｄ１側に突出する円柱形状の突出部である。第１係合部３３ａは、保持枠３０ａの第１方向Ｄ１側の面に形成されている。また、第１係合部３３ａは、含浸部３１ａと非含浸部３５ａとの間に配置される。
【００５７】
そして、第２フィルター部３ｂは、第２係合部３３ｂと、第２係合部３３ｂと異なる位置に配置された第３係合部３４ｂとを更に有する。例えば、第２係合部３３ｂ及び第３係合部３４ｂの各々は、第２方向Ｄ２側に突出する円柱形状の突出部である。第２係合部３３ｂ及び第３係合部３４ｂの各々は、保持枠３０ａの第２方向Ｄ２側の面に形成されている。また、第２係合部３３ｂは、含浸部３１ｂと非含浸部３５ｂとの間に配置される。また、第３係合部３４ｂは、第２係合部３３ｂと対向する含浸部３１ｂと非含浸部３５ｂとの間に配置される。
【００５８】
第１フィルター部３ａは、モータ５によって第１回転方向Ｒ１に回転した場合に、第１係合部３３ａと第２係合部３３ｂとが所定時点で係合する。含浸部３１ａの位置と含浸部３１ｂの位置とがずれて、第１フィルター部３ａと第２フィルター部３ｂとは、第１状態になる。更に、第１フィルター部３ａが、モータ５によって第１回転方向Ｒ１に回転したときに、第２フィルター部３ｂは、係合によって第１回転方向Ｒ１に回転する。その結果、第１フィルター部３ａ及び第２フィルター部３ｂが第１状態で回転する。
【００５９】
一方、第１フィルター部３ａは、モータ５によって第２回転方向Ｒ２に回転した場合に、第１係合部３３ａと第３係合部３４ｂとが所定時点で係合する。含浸部３１ａの位置と含浸部３１ｂの位置とが一致して、第１フィルター部３ａと第２フィルター部３ｂとは第２状態になる。更に、第１フィルター部３ａが、モータ５によって第２回転方向Ｒ２に回転したときに、第２フィルター部３ｂは、係合によって第２回転方向Ｒ２に回転する。その結果、第１フィルター部３ａ及び第２フィルター部３ｂが第２状態で回転する。
【００６０】
従って、第１フィルター部３ａが第１回転方向Ｒ１に回転した場合と、第１フィルター部３ａが第２回転方向Ｒ２に回転した場合とで、含浸領域の大きさを異ならせて、回転させることができる。その結果、調整された水分量を含んだ空気を、長時間、送風できる。
【００６１】
＜第２実施形態＞
図４を参照して、本発明の第２実施形態に係る加湿装置１００の構成について説明する。図４（ａ）は、第１状態の加湿ユニット１０３を示す後面図である。図４（ｂ）は、第２状態の一例の加湿ユニット１０３を示す後面図である。図４（ｃ）は、第２状態の他の一例の加湿ユニット１０３を示す後面図である。図４（ｄ）は、第２状態の更に他の一例の加湿ユニット１０３を示す後面図である。
【００６２】
第１実施形態に係る加湿装置１００では、加湿ユニット３は、第１フィルター部３ａと第２フィルター部３ｂとを含むのに対して、第２実施形態に係る加湿装置１００では、加湿ユニット１０３は、４個のフィルター部を含む点で相違している。以下の説明では、４個のフィルター部について主に説明する。
【００６３】
４個のフィルター部の各々の含浸部１３１ａ〜１３１ｄは、扇形状のシートであり、例えば、１／４の円板状のシートである。４個のフィルター部は、第１方向Ｄ１に並べられて配置されている。
【００６４】
ここで、４個のフィルター部の位置関係について説明する。加湿装置１００では、４個のフィルター部の各々の位置に応じて、含浸領域の大きさが異なる。
【００６５】
図４（ａ）に示す状態は、流通路ＲＡにおいて空気の流通方向に、４個のフィルター部の含浸部１３１ａ〜１３１ｄが重ならない状態を示す。すなわち、含浸領域は、含浸部１３１ａの大きさと含浸部１３１ｂの大きさと含浸部１３１ｃの大きさと含浸部１３１ｄの大きさとの合計である。
【００６６】
図４（ｂ）に示す状態は、流通路ＲＡにおいて空気の流通方向に、含浸領域は、含浸部１３１ａと含浸部１３１ｄとが重なった状態を示す。すなわち、含浸領域は、含浸部１３１ａの大きさと含浸部１３１ｂの大きさと含浸部１３１ｃの大きさとの合計である。
【００６７】
図４（ｃ）に示す状態は、流通路ＲＡにおいて空気の流通方向に、含浸領域は、含浸部１３１ａと含浸部１３１ｃと含浸部１３１ｄとが重なった状態を示す。すなわち、含浸領域は、含浸部１３１ａの大きさと含浸部１３１ｂの大きさとの合計である。
【００６８】
図４（ｄ）に示す状態は、流通路ＲＡにおいて空気の流通方向に、含浸部１３１ａと含浸部１３１ｂと含浸部１３１ｃと含浸部１３１ｄとが重なった状態を示す。すなわち、含浸領域は、含浸部１３１ａの大きさである。
【００６９】
以上、図４を参照して説明したように、加湿装置１００によれば、含浸領域の大きさを４段階で異ならせることができるため、４段階で物質の量を調整できる。
【００７０】
＜第３実施形態＞
図５を参照して、本発明の第３実施形態に係る加湿装置１００の構成について説明する。図５は、加湿ユニット２０３を示す後面図である。第１実施形態に係る加湿装置１００では、第１フィルター部３ａを回転させるモータ５を備えたのに対して、第３実施形態に係る加湿装置１００では、第１フィルター部２０３ａを水平方向に移動させる第２駆動部２０５ａと、第２フィルター部２０３ｂを水平方向に移動させる第２駆動部２０５ｂとを備える点で相違している。以下の説明では、加湿ユニット２０３及び第２駆動部２０５について主に説明する。
【００７１】
加湿ユニット２０３は、第１フィルター部２０３ａと、第２フィルター部２０３ｂとを含む。まず、第１フィルター部２０３ａについて説明する。第１フィルター部２０３ａは、保持枠２３０ａと、含浸部２３１ａと、非含浸部２３５ａとを有する。保持枠２３０ａの形状は、四角筒状を有する。保持枠２３０ａの内部には、含浸部２３１ａと非含浸部２３５ａとが収納されている。
【００７２】
含浸部２３１ａは、液体が含浸される。例えば、含浸部２３１ａは、２個の長方形状のシートである。２個の長方形状のシートは、間隔を空けて配置されている。
【００７３】
一方、非含浸部２３５ａは、液体が含浸されない。例えば、非含浸部２３５ａは、２個の長方形状の開口である。そして、非含浸部２３５ａは、保持枠２３０ａの内部のうち、含浸部２３１ａ以外の領域である。
【００７４】
次に、第２フィルター部２０３ｂについて説明する。第２フィルター部２０３ｂは、保持枠２３０ｂと、含浸部２３１ｂと、非含浸部２３５ｂとを有する。保持枠２３０ｂの形状は、四角筒状を有する。保持枠２３０ｂの内部には、含浸部２３１ｂと非含浸部２３５ｂとが収納されている。
【００７５】
含浸部２３１ｂは、液体が含浸される。例えば、含浸部２３１ｂは、２個の長方形状のシートである。２個の長方形状のシートは、間隔を空けて配置されている。
【００７６】
一方、非含浸部２３５ｂは、液体が含浸されない。例えば、非含浸部２３５ｂは、２個の長方形状の開口である。そして、非含浸部２３５ｂは、保持枠２３０ｂの内部のうち、含浸部２３１ｂ以外の領域である。
【００７７】
第２駆動部２０５は、第２駆動部２０５ａと、第２駆動部２０５ｂとを含む。第２駆動部２０５ａは、第１フィルター部２０３ａを水平方向に第１位置及び第２位置のいずれかの位置に移動させる。第１位置は、流通路１１１内の位置を示す。また、第２位置は、流通路１１１外の位置を示す。
【００７８】
第２駆動部２０５ｂは、第２フィルター部２０３ｂを水平方向に第１位置及び第２位置のいずれかの位置に移動させる。
【００７９】
よって、第３実施形態に係る加湿装置１００では、第１フィルター部２０３ａ及び第２フィルター部２０３ｂが第１位置にある状態と、第１フィルター部２０３ａが第１位置にあり、第２フィルター部２０３ｂが第２位置にある状態と、第１フィルター部２０３ａが第２位置にあり、第２フィルター部２０３ｂが第１位置にある状態と、第１フィルター部２０３ａ及び第２フィルター部２０３ｂが第２位置にある状態とで、含浸領域の大きさが異なる。
【００８０】
以上、図５を参照して説明したように、加湿装置１００によれば、第１フィルター部２０３ａ及び第２フィルター部２０３ｂで含浸領域の大きさを４段階で異ならせることができるため、４段階で物質の量を調整できる。
【００８１】
以上、図面を参照しながら本発明の実施形態について説明した。但し、本発明は、上記の実施形態に限られるものではなく、その要旨を逸脱しない範囲で種々の態様において実施することが可能である。また、上記の実施形態に開示されている複数の構成要素を適宜組み合わせることによって、種々の発明の形成が可能である。例えば、実施形態に示される全構成要素から幾つかの構成要素を削除してもよい。更に、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【００８２】
（１）図１〜図３を参照して説明したように、第１実施形態では、第１フィルター部３ａを回転させるモータ５を備えたが、本発明はこれに限定されない。第１フィルター部３ａではなく、第２フィルター部３ｂを回転させるモータ５を備えてもよい。また、第１フィルター部３ａを回転させるモータ５と、第２フィルター部３ｂを回転させるモータ５とを備えてもよい。
【００８３】
（２）図１〜図３を参照して説明したように、第１実施形態では、第１フィルター部３ａ及び第２フィルター部３ｂは、同じ水槽４内の液体に浸漬されたが、本発明はこれに限定されない。第１フィルター部３ａ及び第２フィルター部３ｂは、異なる水槽４内の液体に浸漬されてもよい。また、第１フィルター部３ａは第１液体に浸漬され、第２フィルター部３ｂは、第１液体と異なる種類の第２液体に浸漬されてもよい。第１液体と第２液体とを混合することで、流通路ＲＡで反応させてもよい。液体は、薬剤を含んでもよい。薬剤は、例えば、アロマ成分を含む。
【００８４】
（３）図１〜図５を参照して説明したように、本実施形態では、空気調和機が加湿装置１００であるが、本発明はこれに限定されない。空気調和機が、空気が流通する流通路を有すればよい。空気調和機が、例えば、ドライヤーでもよい。
【産業上の利用可能性】
【００８５】
本発明は、空気調和機を提供するものであり、産業上の利用可能性を有する。
【符号の説明】
【００８６】
３    加湿ユニット
３ａ    第１フィルター部
３ｂ    第２フィルター部
４    水槽
５    モータ
６    送風機
１０    筐体
１６    送気口
２５    吸込口
２６    天板
３１    含浸部
３１ａ    含浸部
３３ａ    第１係合部
３３ｂ    第２係合部
３４ｂ    第３係合部
１００    加湿装置
【図１】
2020183825.tif 000003
【図２】
2020183825.tif 000004
【図３】
2020183825.tif 000005
【図４】
2020183825.tif 000006
【図５】
2020183825.tif 000007